(57)【要約】【課題】構造が簡単で、製造及び組立しやすく、操作しやすくて安全な回転式変圧器の提供。【解決手段】本発明の回転式変圧器は、主にハウジングとプラグとを含む。前記ハウジングは端部に収納部を形成し、該収納部の両側壁の底部にそれぞれ縦方向に沿う挿入口を設け、該挿入口の間に平行的に設置された一対の横向きキャップを有し、該キャップの間の中央部に弾性を有する係止機構を形成するための当接部が突設される。前記プラグは横向き支持レバー、一対の電気接続片及び一対の挿入レバーを含み、該横向き支持レバーの底部及び両側部にそれぞれ係止機構の当接部と係止し合わせる半円形溝を形成し、係止機構のプラスチックの弾性力により、当接部と半円形溝とを当接させる。【選択図】      図１
2004178821.tif 000002
【特許請求の範囲】
【請求項１】
端部に挿入口を有する収納部が形成されるハウジングと、
一対の挿入レバーと、一対の電気接続片及び横向き支持レバーを含み、該横向き支持レバーの両端に挿入レバー及び電気接続片を締付けるためのキーホールを設け、柱面に少なくとも断面半円形溝を形成するプラグと、
前記収納部内の挿入口の間に前記ハウジングと一体に成形してなり、中央部に当接部を形成し、該当接部は半円形溝を当接し、弾性により当接部と溝を安定して係止しかつ滑らかに離脱する係止機構と
を備えることを特徴とする回転式変圧器。
【請求項２】
前記係止機構は前記当接部の両側で挿入口の間に平行的に形成された一対のキャップを含むことを特徴とする請求項１に記載の回転式変圧器。
【請求項３】
前記係止機構は中央部の当接部の両端部に全体としての弾性力を増加するための溝を別々に形成していることを特徴とする請求項１または２に記載の回転式変圧器。
【発明の詳細な説明】
【０００１】
【発明の属する技術分野】
本発明は回転式変圧器に関し、特に、プラグの回転機構がハウジングの係止機構のプラスチックの弾性機構と直接的に係合して組付けることによって、全体構造が簡単で、製造及び組立に便利な回転式変圧器に関するものである。
【０００２】
【従来の技術】
従来の回転式変圧器としては、プラグが回転の機能達成するために、挿入レバーと、電気接続片と、横向き支持レバーと、当接部材と、ばね及びばねカバーなどの部品を具備している（例えば、特許文献１参照）。
【０００３】
【特許文献１】
台湾実用新案出願８２２０１２５３号公報
【０００４】
図８に示すように、ハウジング３０の端部に収納部３２を形成し、該収納部３２内に収容溝３４及び挿入口３３を設ける。プラグ５０は一対の挿入レバー４６と、一対の電気接続片４８及び横向き支持レバー４０を含み、挿入レバー４６と電気接続片４８は一体にリベット接合されてキーホール４４により横向き支持レバー４０の両端部に嵌め合わされ、かつ該横向き支持レバー４０の側面に設けられた溝４２と当接部材３６の一端に設けられた突出部３７とを互いに突き合わせる。該当接部材３６は突出部３７と相対した端部に止め穴３９を設け、ばね３８の両端部がそれぞれ収容口３４及び止め穴３９内に収納される。組付けるに際して、挿入レバー４６を挿入口３３内に挿入し、該挿入レバー４６と横向き支持レバー４０を回転する状態に、ばね３８の弾性力による縦方向の力で、当接部材３６と横向き支持レバー４０を予め設ける位置に固着して位置決めする。
【０００５】
前記従来の回転機構は、プラグの回転及び位置決めの機能を達成するが、後記したような欠点がある。
１．使用部品が多い、構造が複雑で、製造及び組立てしにくい。
２．プラグが回転するに際して、ばねの弾性力により、回転力の変化が大き過ぎて、精確に制御しにくく、規格を超える可能性がある。
３．長期間使用すると、ばねの弾性力が減少することにより、横向き支持レバーと当接部材との接続が緩み、したがって、位置決め機能が大いに低減し、使用しにくくなる。
従来の技術における前記したような欠点に鑑み、本発明は新規な設計を提供しようとするものである。
【０００６】
【発明が解決しようとする課題】
本発明は、構造が簡単で、製造及び組立やすく、操作しやすくて安全な回転式変圧器を提供することを目的とする。
【０００７】
【課題を解決するための手段】
本発明の回転式変圧器は、主にハウジングとプラグとを含む。前記ハウジングは端部に収納部を形成し、該収納部の両側壁の底部にそれぞれ縦方向に沿う挿入口を設け、該挿入口の間に平行的に設置された一対の横向きキャップを有し、該キャップの間の中央部に弾性を有する係止機構を形成するための当接部が突設される。前記プラグは横向き支持レバー、一対の電気接続片及び一対の挿入レバーを含み、該横向き支持レバーの底部及び両側部にそれぞれ係止機構の当接部と係止する断面半円形溝を形成し、該電気接続片と挿入レバーとを一体にリベット接合した後、横向き支持レバーの両端部に嵌合わせ、ハウジングの挿入口に挿入する状態で、係止機構のプラスチックの弾性力により、当接部と半円形溝とを当接することによって、プラグ構造が回転自在で固く位置決めを達成することができる。
【０００８】
【発明の実施の形態】
まず、図１、図２及び図３に示すように、本発明の回転式変圧器は、主に回路基板を収納するハウジング２及びプラグ１６からなる。前記ハウジング２が閉合面の端部に略「Ｌ」字形の収納部４を形成し、該収納部４内の側壁の底部にそれぞれ縦向き挿入口１４を形成し、当該挿入口１４の間に互いに平行な一対の横向きキャップ１２を形成し、当該キャップの間の中央部に円形頂部を有する当接部８が外方向へ突出され、縦向き挿入口１４の間にハウジング２と一体に形成した係止機構１０を形成し、中央部の当接部８の両端部にさらに溝９を形成することによって、係止機構１０の弾性を増加する。また、収納部４は阻止及び位置決めする役割を果たす柱体６を内設する。
【０００９】
プラグ１６は主に横向き支持レバー１８と、一対の挿入レバー２２及び一対の電気接続片２４からなる。前記電気接続片２４と挿入レバー２２を回転自在に一体にリベット接合し、該電気接続片２４がハウジング２の挿入口１４に挿入されて位置決めするようにする。横向き支持レバー１８が両電気接続片２４と両挿入レバー２２の間に設けられ、その両端部にキーホール１９を形成し、該キーホール１９が挿入レバー２２と電気接続片２４とをリベット接合するための端部に係止されることによって、挿入レバー２２を横向き支持レバー１８に位置決めする。また、該横向き支持レバー１８は柱面の底部及び両側部にそれぞれ半円形溝２０、２１を設け、当該半円形の溝２０、２１が係止機構１０の当接部８と当接するとともに、係止機構１０の支持による適切な弾性力によって挿入レバー２２を回転させて位置決めすることになる。
【００１０】
図４、図５、図６及び図７は本発明のプラグ１６の回転機構が回転するプロセスの断面図である。本発明は前記部材を組合せた後、電気接続片２４と挿入レバー２２を一体にリベット接合され、かつキーホール１９により横向き支持レバー１８の両端部に嵌合わされ、電気接続片２４をハウジング２の挿入口１４に挿入し、横向き支持レバー１８の半円形溝２０または２１が係止機構１０の当接部８に係止される。したがって、係止機構の弾性力により、横向き支持レバー１８が挿入レバー２２をプラグ１６と対応した位置に回転して調整する。その動作のプロセスについて次のように詳しく述べる。まず、図４に示すように、挿入レバー２２を収納部４内に停止する状態で、係止機構１０の当接部８を横向き支持レバー１８の断面半円形溝２１内に係合し、プラグ１６を収納部４内に固く固着させる。また、図５に示すように、挿入レバー２２は外力により外方向へ移動され、横向き支持レバー１８の断面円形の柱面を当接部８に接触し、係止機構１０はプラスチックの弾性力により当接部８をハウジング２の内部へ凹ませる。したがって、挿入レバー２２を収納部４と鋭角に形成される位置までに自在回転させる。さらに、図６に示すように、挿入レバー２２は外力により収納部４と直角をなす位置までに回転が続けられ、係止機構１０の当接部８は横向き支持レバー１８の半円形溝２０内に係合され、プラグ１６を前記直角の位置に完全に固着し、その時に挿入レバー２２は作動状態になる。最後に、図７に示すように、挿入レバー２２は前記と反対方向の外力により、収納部４と鋭角に形成される位置までに自在に回転され、さらに、外力で作動し続けることによって、元の図４に示す位置にリターンすることになる。
【００１１】
【発明の効果】
本発明の構造において、従来の構造と比べて、次のような改良がある：
まず、収納部４は底部の側壁の両挿入口１４の間に一対の互いに平行に設けられた横向きキャップ１２を有し、係止機構１０を形成し、さらに、当接部８を形成することによって、係止機構１０に弾性力を付与し、したがって、当接部８が弾性力により横向き支持レバー１８の底部と両側部の断面半円形溝２０、２１に接触され、プラグ１６機構が自在に回転するとともに、固く位置決めする要求を満足することになる。
【００１２】
また、横向き支持レバー１８が挿入レバー２２を合わせて回転する状態に、係止機構１０の当接部８が固着して位置決めすることによって、横向き支持レバー１８が離脱する可能性がない。
【００１３】
最後に、係止機構１０は製品の構造を簡略させ、自分の弾性力を有するプラスチックハウジングに代わり、ばねとばね支持部材及びばねカバーを省略することによって、部材における製造及び組立の簡便さが大いに向上される。
【００１４】
前記の実施の形態は単なる本発明のより良い実施の形態であって、本発明の当業者が本発明に基づきなしうる細部の修正或いは変更など、いずれも本発明の特許請求の範囲に属するものとする。
【図面の簡単な説明】
【図１】本発明に係る回転式変圧器の斜視分解図である。
【図２】本発明に係る回転式変圧器のハウジングの正面から見た図である。
【図３】本発明に係る回転式変圧器は図２のＩ−Ｉ線に沿う断面図である。
【図４】本発明に係る回転式変圧器のプラグの回転機構が回転するプロセスの断面図である。
【図５】本発明に係る回転式変圧器のプラグの回転機構が回転するプロセスの断面図である。
【図６】本発明に係る回転式変圧器のプラグの回転機構が回転するプロセスの断面図である。
【図７】本発明に係る回転式変圧器のプラグの回転機構が回転するプロセスの断面図である。
【図８】従来の回転式変圧器の斜視分解図である。
【符号の説明】
２            ハウジング
４            収納部
６            柱体
８            当接部
９            溝
１０          係止機構
１２          キャップ
１４          挿入口
１６          プラグ
１８          横向き支持レバー
１９          キーホール
２０、２１    半円形溝
２２          挿入レバー
２４          電気接続片
【図１】
2004178821.tif 000003
【図２】
2004178821.tif 000004
【図３】
2004178821.tif 000005
【図４】
2004178821.tif 000006
【図５】
2004178821.tif 000007
【図６】
2004178821.tif 000008
【図７】
2004178821.tif 000009
【図８】
2004178821.tif 000010